(57)【要約】【課題】    本発明の目的は、拡大鏡を電子機器ではなく、表側カバーに回動自在に取り付けるようにして、拡大鏡の電子機器への装着を容易にした電子機器用保護カバーを提供するものである。【解決手段】    電子機器用保護カバーＣは、表示画面１０Ａを有する電子機器１０を被覆するように用いられる電子機器用保護カバーＣであって、電子機器用保護カバーＣは、表側カバー１と裏側カバー２とを有し、表側カバー１と裏側カバー２との間に中間部材３を有し、電子機器１０は中間部材３に取り付けられ、表側カバー１に回動自在に拡大鏡４が取り付けられ、電子機器１０及び拡大鏡４の不使用時、表側カバー１の裏面１Ｂが拡大鏡４を介して電子機器１０の表示画面１０Ａに、電子機器１０の表示画面１０Ａと反対側である電子機器１０の裏面１０Ｂが中間部材３を介して裏側カバー２の裏面２Ｂに、それぞれ位置しているものである。【選択図】図６
2018148028.tif 000002
【特許請求の範囲】
【請求項１】
表示画面を有する電子機器を被覆するように用いられる電子機器用保護カバーであって、
前記電子機器用保護カバーは、表側カバーと裏側カバーとを有し、前記表側カバーと前記裏側カバーとの間に中間部材を有し、
前記電子機器は前記中間部材に取り付けられ、  
前記表側カバーに回動自在に拡大鏡が取り付けられ、
前記電子機器及び前記拡大鏡の不使用時、前記表側カバーの裏面が前記拡大鏡を介して前記電子機器の表示画面に、前記電子機器の表示画面と反対側である前記電子機器の裏面が前記中間部材を介して前記裏側カバーの裏面に、それぞれ位置している
ことを特徴とする電子機器用保護カバー。
【請求項２】
表示画面を有する電子機器を被覆するように用いられる電子機器用保護カバーであって、
前記電子機器用保護カバーは、表側カバーと裏側カバーとを有し、
前記電子機器は前記裏側カバーに取り付けられ、  
前記表側カバーに回動自在に拡大鏡が取り付けられ、
前記電子機器及び前記拡大鏡の不使用時、前記表側カバーの裏面が前記拡大鏡を介して前記電子機器の表示画面に、前記電子機器の表示画面と反対側である前記電子機器の裏面が前記裏側カバーの裏面に、それぞれ位置している
ことを特徴とする電子機器用保護カバー。
【請求項３】
拡大鏡を支持する支持部材が裏側カバーに回動自在に取り付けられ、
前記支持部材に係止部が、前記拡大鏡に前記係止部に係止される被係止部が、それぞれ設けられ、
前記被係止部が、前記係止部に係止されて、電子機器に対向した位置にある前記拡大鏡が前記支持部材及び表側カバーにより保持され、
前記電子機器に対向した前記拡大鏡は、前記電子機器の表面の略全体に亘って対向し、前記電子機器と前記拡大鏡が対向した状態にあって形成される前記電子機器と前記拡大鏡の３面の内、前記表側カバーの裏面が対向する面、前記支持部材が対向する面が開放されている
ことを特徴とする請求項１又は請求項２記載の電子機器用保護カバー。
【請求項４】
電子機器及び拡大鏡の不使用時、表側カバー、前記拡大鏡、前記電子機器、中間部材、支持部材、裏側カバーの順に、積層されている
ことを特徴とする請求項１記載の電子機器用保護カバー。
【発明の詳細な説明】
【技術分野】
【０００１】
本発明は、電子機器用保護カバーに係り、特に、拡大鏡を電子機器ではなく、表側カバーに回動自在に取り付けるようにして、拡大鏡の電子機器への装着を容易にした電子機器用保護カバーに関する。
【背景技術】
【０００２】
携帯電話機を使用する際に画面表示部を拡大して視認する拡大鏡がある（例えば、特許文献１参照）。
これは、携帯電話機の画面表示部の側部と伸縮可能な支持腕により軸承にて連結され、かつ、画面表示部上に位置する拡大鏡枠と、該拡大鏡枠に収納した拡大鏡とから構成されている。
【先行技術文献】
【特許文献】
【０００３】
【特許文献１】実用新案登録第３１０５２２１号公報
【発明の概要】
【発明が解決しようとする課題】
【０００４】
しかしながら、上記のものにあっては、拡大鏡を携帯電話機に取り付けているため、携帯電話機の厚みが薄いこともあって、拡大鏡を携帯電話機へ容易に装着できにくいという問題点があった。
【０００５】
本発明は、上記問題点を考慮してなされたもので、拡大鏡の電子機器への装着を容易にした電子機器用保護カバーを提供することを目的とする。
【課題を解決するための手段】
【０００６】
請求項１記載の電子機器用保護カバーは、表示画面を有する電子機器を被覆するように用いられる電子機器用保護カバーであって、前記電子機器用保護カバーは、表側カバーと裏側カバーとを有し、前記表側カバーと前記裏側カバーとの間に中間部材を有し、前記電子機器は前記中間部材に取り付けられ、前記表側カバーに回動自在に拡大鏡が取り付けられ、前記電子機器及び前記拡大鏡の不使用時、前記表側カバーの裏面が前記拡大鏡を介して前記電子機器の表示画面に、前記電子機器の表示画面と反対側である前記電子機器の裏面が前記中間部材を介して前記裏側カバーの裏面に、それぞれ位置しているものである。
【０００７】
また、請求項２記載の電子機器用保護カバーは、表示画面を有する電子機器を被覆するように用いられる電子機器用保護カバーであって、前記電子機器用保護カバーは、表側カバーと裏側カバーとを有し、前記電子機器は前記裏側カバーに取り付けられ、前記表側カバーに回動自在に拡大鏡が取り付けられ、前記電子機器及び前記拡大鏡の不使用時、前記表側カバーの裏面が前記拡大鏡を介して前記電子機器の表示画面に、前記電子機器の表示画面と反対側である前記電子機器の裏面が前記裏側カバーの裏面に、それぞれ位置しているものである。
【０００８】
また、請求項３記載の電子機器用保護カバーは、請求項１又は請求項２記載の電子機器用保護カバーにおいて、拡大鏡を支持する支持部材が裏側カバーに回動自在に取り付けられ、前記支持部材に係止部が、前記拡大鏡に前記係止部に係止される被係止部が、それぞれ設けられ、前記被係止部が、前記係止部に係止されて、電子機器に対向した位置にある前記拡大鏡が前記支持部材及び表側カバーにより保持され、前記電子機器に対向した前記拡大鏡は、前記電子機器の表面の略全体に亘って対向し、前記電子機器と前記拡大鏡が対向した状態にあって形成される前記電子機器と前記拡大鏡の３面の内、前記表側カバーの裏面が対向する面、前記支持部材が対向する面が開放されているものである。
【０００９】
また、請求項４記載の電子機器用保護カバーは、請求項１記載の電子機器用保護カバーにおいて、電子機器及び拡大鏡の不使用時、表側カバー、前記拡大鏡、前記電子機器、中間部材、支持部材、裏側カバーの順に、積層されているものである。
【発明の効果】
【００１０】
請求項１記載の電子機器用保護カバーによれば、拡大鏡を電子機器ではなく、表側カバーに回動自在に取り付けるようにして、拡大鏡の電子機器への装着を容易にし、しかも、電子機器及び拡大鏡の不使用時、表側カバーの裏面が拡大鏡を介して電子機器の表示画面に、電子機器の表示画面と反対側である電子機器の裏面が中間部材を介して裏側カバーの裏面に、それぞれ位置し、拡大鏡が表側カバーに回動自在に取り付けられているため、
電子機器及び拡大鏡の使用時、表側カバーと裏側カバーとを相対的に離間させ、拡大鏡を介して電子機器の表示画面を容易に見ることができ、更に、表側カバーと裏側カバーとを相対的に離間させ、電子機器用保護カバーから拡大鏡のみを取り出し、拡大鏡を介して電子機器以外のものを容易に見ることができる。
【００１１】
また、請求項２記載の電子機器用保護カバーによれば、拡大鏡を電子機器ではなく、表側カバーに回動自在に取り付けるようにして、拡大鏡の電子機器への装着を容易にし、しかも、電子機器及び拡大鏡の不使用時、表側カバーの裏面が拡大鏡を介して電子機器の表示画面に、電子機器の表示画面と反対側である電子機器の裏面が裏側カバーの裏面に、それぞれ位置し、拡大鏡が表側カバーに回動自在に取り付けられているため、
電子機器及び拡大鏡の使用時、表側カバーと裏側カバーとを相対的に離間させ、拡大鏡を介して電子機器の表示画面を容易に見ることができ、更に、表側カバーと裏側カバーとを相対的に離間させ、電子機器用保護カバーから拡大鏡のみを取り出し、拡大鏡を介して電子機器以外のものを容易に見ることができる。
【００１２】
また、請求項３記載の電子機器用保護カバーによれば、上述した請求項１又は請求項２記載の発明の効果に加え、裏側カバーに回動自在に拡大鏡を支持する支持部材が取り付けられ、前記支持部材に係止部が、前記拡大鏡に前記係止部に係止される被係止部が、それぞれ設けられ、前記被係止部が前記係止部に係止されて、電子機器に対向した位置にある前記拡大鏡が前記支持部材及び表側カバーにより保持されるため、拡大鏡を介して電子機器をみることができると共に、表側カバーで支持される分、支持部材の強度を強くしなくても保持することができ、しかも、前記電子機器に対向した前記拡大鏡は、前記電子機器の略全体に亘って対向し、前記電子機器と前記拡大鏡が対向した状態にあって形成される前記電子機器と前記拡大鏡の３面の内、前記表側カバーの裏面が対向する面、前記支持部材が対向する面が開放されているため、指による電子機器の操作性を損なうことを防止することができる。
【００１３】
また、請求項４記載の電子機器用保護カバーによれば、上述した請求項１記載の発明の効果に加え、電子機器及び拡大鏡の不使用時、表側カバー、前記拡大鏡、前記電子機器、中間部材、支持部材、裏側カバーの順に、積層されているため、電子機器が表側カバー、裏側カバーに加え、拡大鏡と支持部材により保護することができる。
【図面の簡単な説明】
【００１４】
【図１】図１は、本発明の一実施例の電子機器用保護カバーの概略的正面図である。
【図２】図２は、図１の概略的底面図である。
【図３】図３は、図１の電子機器用保護カバーを開き、電子機器を取り外した状態の概略的正面図である。
【図４】図４は、図３の拡大鏡を外方へ回動した状態の概略的正面図である。
【図５】図５は、図３の中間部材を拡大鏡の方へ回動した状態の概略的正面図である。
【図６】図６は、図３の中間部材に電子機器を吸着し、拡大鏡を使用した状態の概略的斜視図である。
【図７】図７は、図６と異なる他の実施例の使用状態を示す概略的斜視図である。
【図８】図８は、図７と異なる他の実施例の使用状態を示す概略的斜視図である。
【発明を実施するための形態】
【００１５】
本発明の一実施例の電子機器用保護カバーを図面（図１及び図６）を参照して説明する。
図１に示すＣは表示画面を有する電子機器１０を被覆するように用いられる電子機器用保護カバーで、電子機器１０は、例えば、携帯電話、ゲーム機、携帯型ゲーム機、ＰＤＡ(Personal Digital Assistant)、スマートフォン、電子辞書、デジタルカメラ、デジタルオーディオプレーヤー等である。
【００１６】
電子機器用保護カバーＣは、表側カバー１と裏側カバー２とを有し、表側カバー１と裏側カバー２との間に中間部材３を有している。電子機器１０は中間部材３に取り付けられ、例えば、中間部材３に設けた吸着パッド３１により取り付けられる。取り付けは、吸着パッド３１以外、例えば、粘着テープでも良い。なお、図１に示す１１は、裏側カバー２に取り付けられた止め部材（例えば、磁石）で、止め部材１１に対応する表側カバー１には、止め部材（例えば、磁石）に吸着する図示しない磁性体が内在されている。  
【００１７】
図６に示す４は、表側カバー１に回動自在に取り付けられた拡大鏡で、５は拡大鏡４を支持する支持部材である。
電子機器１０及び拡大鏡４の不使用時（図１及び図２参照）、電子機器用保護カバーＣが閉じられると、表側カバー１の裏面１Ｂは拡大鏡４を介して電子機器１０の表示画面１０Ａが、電子機器１０の表示画面１０Ａと反対側である電子機器１０の裏面１０Ｂは中間部材３を介して裏側カバー２の裏面２Ｂが、それぞれ位置している。
【００１８】
また、図６に示す５は拡大鏡４を支持する支持部材で、支持部材５が裏側カバー２に回動自在に取り付けられている。
支持部材５に係止部５Ｘが、拡大鏡４に係止部５Ｘに係止される被係止部４Ｘが、それぞれ設けられ、支持部材５の係止部５Ｘが、拡大鏡４の被係止部４Ｘに係止されて、電子機器１０に対向した位置にある拡大鏡４が支持部材５及び表側カバー１により保持されることとなる。拡大鏡４が表側カバー１で支持される分、支持部材５の強度を強くしなくても保持することができる。
また、図６に示すように、電子機器１０に対向した拡大鏡４は、電子機器１０の表面の略全体に亘って対向し、電子機器１０と拡大鏡４が対向した状態にあって形成される電子機器１０と拡大鏡４の３面の内、表側カバー１の裏面１Ｂが対向する面Ｘ、支持部材５が対向する面Ｙが開放されることとなる。拡大鏡４が支持部材５と表側カバー１により保持され、拡大鏡４と裏側カバー２との間に支持部材５があっても、面Ｘ、面Ｙがあるため、電子機器１０の指による操作性を損なうことを防止することができる。
なお、電子機器１０及び拡大鏡４の不使用時、電子機器１０及び拡大鏡４の不使用時、表側カバー１、拡大鏡４、電子機器１０、中間部材３、支持部材５、裏側カバー２の順に、積層されている（図２参照）ため、電子機器１０が表側カバー１、裏側カバー２に加え、拡大鏡４と支持部材５により保護することができる。
【００１９】
従って、上述した電子機器用保護カバーＣによれば、拡大鏡４を電子機器１０ではなく、表側カバー１に回動自在に取り付けるようにして、拡大鏡４の電子機器１０への装着を容易にし、しかも、電子機器１０及び拡大鏡４の不使用時、表側カバー１の裏面は拡大鏡４を介して電子機器１０の表示画面１０Ａが、電子機器１０の表示画面１０Ａと反対側である電子機器１０の裏面１０Ｂは中間部材３を介して裏側カバー２の裏面２Ｂに、それぞれ位置し、拡大鏡４が表側カバー１に回動自在に取り付けられているため、
電子機器１０及び拡大鏡４の使用時、表側カバー１と裏側カバー２とを相対的に離間させ、係止部５Ｘが被係止部４Ｘに係止されて、電子機器１０に対向した位置にある拡大鏡４が支持部材５及び表側カバー１により保持されるため、拡大鏡４を介して電子機器１０を見ることができると共に、表側カバー１で支持される分、支持部材５の強度を強くしなくても保持することができ、しかも、電子機器１０に対向した拡大鏡４は、電子機器１０の略全体に亘って対向し、電子機器１０と拡大鏡４が対向した状態にあって形成される電子機器１０と拡大鏡４の３面の内、表側カバー１の裏面１Ｂが対向する面Ｘ、支持部材５が対向する面Ｙが開放されているため、指による電子機器１０の操作性を損なうことを防止することができる。
なお、本願発明にあっては、係止部５Ｘを被係止部４Ｘに係止させるようにしたが、本願発明にあっては、これに限らず、支持部材５を省略しても良く、例えば、図示しないが、右手で裏側カバー２の表面２Ａで支え、左手の親指で拡大鏡４を、左手の親指以外の指で表側カバー１の表面１Ａを支え、拡大鏡４を介して電子機器１０の表示画面１０Ａを容易に見ることができ、
更に、図７に示すように、表側カバー１と裏側カバー２とを相対的に離間させ、電子機器用保護カバーＣから拡大鏡４のみを取り出し、拡大鏡４を介して電子機器１０以外のもの、例えば、印刷物２０を容易に見ることができる。
また、図８に示すように、電子機器用保護カバーＣから拡大鏡４のみを取り出し、拡大鏡４を介して電子機器１０以外のもの、例えば、印刷物２０を容易に見ることができる。
【００２０】
上述した電子機器用保護カバーＣにあっては、表側カバー１と裏側カバー２との間に中間部材３を設けたが、本願発明においては、これに限らず、中間部材３を省略すると共に、中間部材３に取り付けられた吸着パッド３１を裏側カバー２の裏面２Ｂに設けるようにしても良い。
即ち、表示画面１０Ａを有する電子機器１０を被覆するように用いられる電子機器用保護カバーＣであって、電子機器用保護カバーＣは、表側カバー１と裏側カバー２とを有し、電子機器１０は裏側カバー２に図示しない吸着パッド、図示しない粘着テープ等により取り付けられ、表側カバー１に回動自在に拡大鏡４が取り付けられ、電子機器１０及び拡大鏡４の不使用時、表側カバー１の裏面１Ｂが拡大鏡４を介して電子機器１０の表示画面１０Ａに、電子機器１０の表示画面１０Ａと反対側である電子機器１０の裏面１０Ｂが裏側カバー２の裏面２Ｂに、それぞれ位置させるようにする。
【００２１】
その結果、中間部材３を省略した電子機器用保護カバーＣにあっても、上述した電子機器用保護カバーＣと同様、拡大鏡４を電子機器１０ではなく、表側カバー１に回動自在に取り付けるようにして、拡大鏡４の電子機器１０への装着を容易にし、しかも、電子機器１０及び拡大鏡４の不使用時、表側カバー１の裏面１Ｂが拡大鏡４を介して電子機器１０の表示画面１０Ａに、電子機器１０の表示画面１０Ａと反対側である電子機器１０の裏面１０Ｂが裏側カバー２の裏面２Ｂに、それぞれ位置し、拡大鏡４が表側カバー１に回動自在に取り付けられているため、電子機器１０及び拡大鏡４の使用時、表側カバー１と裏側カバー２とを相対的に離間させ、拡大鏡４を介して電子機器１０の表示画面１０Ａを容易に見ることができ、更に、表側カバー１と裏側カバー２とを相対的に離間させ、電子機器用保護カバーＣから拡大鏡４のみを取り出し、拡大鏡４を介して電子機器１０以外のものを容易に見ることができる。
【符号の説明】
【００２２】
Ｃ      電子機器用保護カバー
１      表側カバー
１Ｂ    表側カバーの裏面
２      裏側カバー
３      中間部材
４      拡大鏡
１０    電子機器
１０Ａ  表示画面
１０Ｂ  電子機器の裏面
【図１】
2018148028.tif 000003
【図２】
2018148028.tif 000004
【図３】
2018148028.tif 000005
【図４】
2018148028.tif 000006
【図５】
2018148028.tif 000007
【図６】
2018148028.tif 000008
【図７】
2018148028.tif 000009
【図８】
2018148028.tif 000010
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
表示画面を有する電子機器を被覆するように用いられる電子機器用保護カバーであって、
前記電子機器用保護カバーは、表側カバーと裏側カバーとを有し、前記表側カバーと前記裏側カバーとの間に中間部材を有し、
前記電子機器は前記中間部材に取り付けられ、  
前記表側カバーに回動自在に拡大鏡が取り付けられ、
前記拡大鏡を支持する支持部材が前記裏側カバーに回動自在に取り付けられ、
前記支持部材に係止部が、前記拡大鏡に前記係止部に係止される被係止部が、それぞれ設けられ、
前記被係止部が、前記係止部に係止されて、前記電子機器に対向した位置にある前記拡大鏡が前記支持部材及び前記表側カバーにより保持されている
ことを特徴とする電子機器用保護カバー。
【請求項２】
表示画面を有する電子機器を被覆するように用いられる電子機器用保護カバーであって、
前記電子機器用保護カバーは、表側カバーと裏側カバーとを有し、
前記電子機器は前記裏側カバーに取り付けられ、  
前記表側カバーに回動自在に拡大鏡が取り付けられ、
前記拡大鏡を支持する支持部材が前記裏側カバーに回動自在に取り付けられ、
前記支持部材に係止部が、前記拡大鏡に前記係止部に係止される被係止部が、それぞれ設けられ、
前記被係止部が、前記係止部に係止されて、前記電子機器に対向した位置にある前記拡大鏡が前記支持部材及び前記表側カバーにより保持されている
ことを特徴とする電子機器用保護カバー。
【請求項３】
電子機器及び拡大鏡の不使用時、表側カバーの裏面が前記拡大鏡を介して前記電子機器の表示画面に、前記電子機器の表示画面と反対側である前記電子機器の裏面が前記中間部材を介して裏側カバーの裏面に、それぞれ位置している
ことを特徴とする請求項１記載の電子機器用保護カバー。
【請求項４】
電子機器及び拡大鏡の不使用時、表側カバーの裏面が前記拡大鏡を介して前記電子機器の表示画面に、前記電子機器の表示画面と反対側である前記電子機器の裏面が前記裏側カバーの裏面に、それぞれ位置している
ことを特徴とする請求項２記載の電子機器用保護カバー。
【手続補正２】
【補正対象書類名】明細書
【補正対象項目名】０００６
【補正方法】変更
【補正の内容】
【０００６】
請求項１記載の電子機器用保護カバーは、表示画面を有する電子機器を被覆するように用いられる電子機器用保護カバーであって、前記電子機器用保護カバーは、表側カバーと裏側カバーとを有し、前記表側カバーと前記裏側カバーとの間に中間部材を有し、
前記電子機器は前記中間部材に取り付けられ、前記表側カバーに回動自在に拡大鏡が取り付けられ、前記拡大鏡を支持する支持部材が前記裏側カバーに回動自在に取り付けられ、前記支持部材に係止部が、前記拡大鏡に前記係止部に係止される被係止部が、それぞれ設けられ、前記被係止部が、前記係止部に係止されて、前記電子機器に対向した位置にある前記拡大鏡が前記支持部材及び前記表側カバーにより保持されているものである
【手続補正３】
【補正対象書類名】明細書
【補正対象項目名】０００７
【補正方法】変更
【補正の内容】
【０００７】
また、請求項２記載の電子機器用保護カバーは、表示画面を有する電子機器を被覆するように用いられる電子機器用保護カバーであって、前記電子機器用保護カバーは、表側カバーと裏側カバーとを有し、前記電子機器は前記裏側カバーに取り付けられ、前記表側カバーに回動自在に拡大鏡が取り付けられ、前記拡大鏡を支持する支持部材が前記裏側カバーに回動自在に取り付けられ、前記支持部材に係止部が、前記拡大鏡に前記係止部に係止される被係止部が、それぞれ設けられ、前記被係止部が、前記係止部に係止されて、前記電子機器に対向した位置にある前記拡大鏡が前記支持部材及び前記表側カバーにより保持されているものである。
【手続補正４】
【補正対象書類名】明細書
【補正対象項目名】０００８
【補正方法】変更
【補正の内容】
【０００８】
また、請求項３記載の電子機器用保護カバーは、請求項１記載の電子機器用保護カバーにおいて、電子機器及び拡大鏡の不使用時、表側カバーの裏面が前記拡大鏡を介して前記電子機器の表示画面に、前記電子機器の表示画面と反対側である前記電子機器の裏面が前記中間部材を介して裏側カバーの裏面に、それぞれ位置しているものである。
【手続補正５】
【補正対象書類名】明細書
【補正対象項目名】０００９
【補正方法】変更
【補正の内容】
【０００９】
また、請求項４記載の電子機器用保護カバーは、請求項２記載の電子機器用保護カバーにおいて、電子機器及び拡大鏡の不使用時、表側カバーの裏面が前記拡大鏡を介して前記電子機器の表示画面に、前記電子機器の表示画面と反対側である前記電子機器の裏面が前記裏側カバーの裏面に、それぞれ位置しているものである。
【手続補正６】
【補正対象書類名】明細書
【補正対象項目名】００１０
【補正方法】変更
【補正の内容】
【００１０】
請求項１記載の電子機器用保護カバーによれば、拡大鏡を電子機器ではなく、表側カ
バーに回動自在に取り付けるようにして、拡大鏡の電子機器への装着を容易にし、電子機器及び拡大鏡の使用時、表側カバーと裏側カバーとを相対的に離間させ、拡大
鏡を介して電子機器の表示画面を容易に見ることができる。
【手続補正７】
【補正対象書類名】明細書
【補正対象項目名】００１１
【補正方法】変更
【補正の内容】
【００１１】
また、請求項２記載の電子機器用保護カバーによれば、拡大鏡を電子機器ではなく、表側カバーに回動自在に取り付けるようにして、拡大鏡の電子機器への装着を容易にし、電子機器及び拡大鏡の使用時、表側カバーと裏側カバーとを相対的に離間させ、拡大鏡を介して電子機器の表示画面を容易に見ることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】